(57)【要約】【課題】意匠性を向上させることができると共に、施工性を向上させることができる床構造体を提供すること。【解決手段】床構造体１は、床部１０と、床部１０の側部の取付部８に嵌合により取り付けられる幕板部９と、を備える。また、取付部８は、上方側に形成され上方側に突出する上方突出部８３を有し、幕板部９は、幕板部９が取付部８に取り付けられた状態において、上下方向に延びる側板９１と、側板９１の上方側に形成され床部１０側の側方に延びる上面板９２と、上面板９２から下方側に突出する突出係止部９３と、を有し、幕板部９の突出係止部９３は、取付部８の上方突出部８３に係止されるように構成されていてもよい。【選択図】図４
2019148077.tif 000002
【特許請求の範囲】
【請求項１】
床部と、
前記床部の側部に設けられた取付部に嵌合して取り付けられる幕板部と、を備える床構造体。
【請求項２】
前記取付部は、上方側に形成され上方側に突出する上方突出部を有し、
前記幕板部は、前記幕板部が前記取付部に取り付けられた状態において、上下方向に延びる側板と、前記側板の上方側に形成され前記床部側の側方に延びる上面板と、前記上面板から下方側に突出する突出係止部と、を有し、
前記幕板部の前記突出係止部は、前記取付部の前記上方突出部に係止される請求項１に記載の床構造体。
【請求項３】
前記取付部は、前記上方突出部よりも下方側に形成され下方側に突出する下方突出部を有し、
前記幕板部は、前記側板における前記上面板よりも下方の位置から前記床部側の側方に延びると共に前記下方突出部に係合する下部係合部を更に有し、
前記幕板部は、前記幕板部の前記突出係止部が前記取付部の前記上方突出部に係止された状態で、前記幕板部の前記下部係合部が前記取付部の前記下方突出部に係合することで前記取付部に嵌合により取り付けられる請求項２に記載の床構造体。
【発明の詳細な説明】
【技術分野】
【０００１】
本発明は、幕板部を備える床構造体に関する。
【背景技術】
【０００２】
従来、床部と、床部の縁部の側面に取り付けられる幕板部と、を備える床構造体が知られている（例えば、特許文献１参照）。特許文献１に記載の幕板部は、床部の縁部の側面にネジ挿通用の穴を介してネジ固定され、ネジを隠すように、ネジ挿通用の穴を、塞ぎ材で塞ぐように構成されている。
【先行技術文献】
【特許文献】
【０００３】
【特許文献１】特開２００６−２８３２８２号公報
【発明の概要】
【発明が解決しようとする課題】
【０００４】
特許文献１に記載の幕板部は、幕板部の表面にネジ挿通用の穴を塞ぐ塞ぎ材の境界線のラインが形成されるため、意匠性を向上させることが求められる。また、幕板部を床部の縁部の側面に取り付ける際の施工性を向上させることが求められる。
【０００５】
本発明は、意匠性を向上させることができると共に、施工性を向上させることができる床構造体を提供することを目的とする。
【課題を解決するための手段】
【０００６】
本発明は、床部（例えば、後述の床部１０）と、前記床部の側部に設けられた取付部（例えば、後述の幕板受け材８）に嵌合により取り付けられる幕板部（例えば、後述の幕板部９）と、を備える床構造体（例えば、後述の床構造体１）に関する。
【０００７】
また、前記取付部は、上方側に形成され上方側に突出する上方突出部（例えば、後述の上方突出壁８３）を有し、前記幕板部は、前記幕板部が前記取付部に取り付けられた状態において、上下方向に延びる側板（例えば、後述の側壁９１）と、前記側板の上方側に形成され前記床部側の側方に延びる上面板（例えば、後述のタイル収容上面壁９２）と、前記上面板から下方側に突出する突出係止部（例えば、後述の突出係止壁９３）と、を有し、前記幕板部の前記突出係止部は、前記取付部の前記上方突出部に係止されることが好ましい。
【０００８】
また、前記取付部は、前記上方突出部よりも下方側に形成され下方側に突出する下方突出部（例えば、後述の下方突出壁８５）を有し、前記幕板部は、前記側板における前記上面板よりも下方の位置から前記床部側の側方に延びると共に前記下方突出部に係合する下部係合部（例えば、後述の下部突出係合片９６）を更に有し、前記幕板部は、前記幕板部の前記突出係止部が前記取付部の前記上方突出部に係止された状態で、前記幕板部の前記下部係合部が前記取付部の前記下方突出部に係合することで前記取付部に嵌合により取り付けられることが好ましい。
【発明の効果】
【０００９】
本発明によれば、意匠性を向上させることができると共に、施工性を向上させることができる床構造体を提供することができる。
【図面の簡単な説明】
【００１０】
【図１】本実施形態に係る床構造体を示す斜視図である。
【図２】図１のＡ−Ａ線断面図である。
【図３】図１のＢ−Ｂ線断面図である。
【図４】図２の幕板部及び幕板受け材を示す断面図である。
【図５】幕板部を幕板受け材に取り付ける手順を説明する図である。
【発明を実施するための形態】
【００１１】
本発明の一実施形態に係る床構造体１について説明する。図１は、本実施形態に係る床構造体１を示す斜視図である。図２は、図１のＡ−Ａ線断面図である。図３は、図１のＢ−Ｂ線断面図である。図４は、図２の幕板部９及び幕板受け材８を示す断面図である。
【００１２】
本発明の一実施形態に係る床構造体１は、建物１００の近傍（例えば、庭）に乾式工法で施工されたデッキである。床構造体１は、複数のタイル１１で床面が形成される。図１に示すように、床構造体１は、一辺が建物１００の壁面と接する矩形形状に形成される。床構造体１の縁部には、段差１５が形成される。本実施形態においては、段差１５は、２段の段差で構成され、１段目段部１６と、２段目段部１７と、を備える。
【００１３】
図２及び図３に示すように、床構造体１は、複数の基台２と、複数の柱としての束柱３と、複数の大引４と、複数の根太５と、幕板受け材８と、幕板部９と、床部１０と、を備える。束柱３、大引４、根太５、幕板受け材８及び幕板部９は、いずれもアルミニウム形材からなる。
【００１４】
床部１０は、図１に示すように、複数のタイル１１と、複数の目地１２と、を備える。
複数のタイル１１は、それぞれ、例えば、平面視で正方形形状に形成され、所定の厚さを有する。タイル１１は、図２及び図３に示すように、四辺の縁部が大引４の上面４１及び根太５の上面５１によって支持されるように、大引４及び根太５の上に敷設される。床部１０のうち段差１５の１段目段部１６及び２段目段部１７を構成するタイル１１は、段部の形状に合わせて加工（例えば切断）される。
複数の目地１２は、タイル１１同士の間において、タイル１１の縁部に沿うように延びて形成される。目地１２は、厚さがタイル１１の厚さよりも小さく形成される。
【００１５】
複数の基台２は、図２及び図３に示すように、地面に配設されている。
複数の束柱３は、基台２に立設されている。１段目段部１６の奥側に配置される束柱３の外側の側面には、根太受け３１や、スペーサ部材３２や、固定金具等が取り付けられている。
【００１６】
根太受け３１は、図２に示すように、１段目段部１６の奥側に配置される束柱３の外側の側面に固定される。根太受け３１には、１段目段部１６の上面を構成するタイル１１を支持する根太５の束柱３側の端部が載置される。
【００１７】
スペーサ部材３２は、図２及び図３に示すように、１段目段部１６の奥側に配置される束柱３の外側の側面において、根太受け３１よりも上方側に固定される。スペーサ部材３２は、１段目段部１６における束柱３とタイル１１との間の水平方向の空間を埋めるように、根太５の束柱３側の端部の上面５１において、束柱３とタイル１１との間に配置される。
【００１８】
複数の大引４は、複数の束柱３に架設されている。大引４は、例えば、中空部を有する略角柱形状の長尺部材で構成される。複数の大引４は、長手方向が建物１００の壁面に沿うように建物１００に対して平行に所定間隔で配置され、複数の束柱３に架設される。
【００１９】
大引４の上部は、図２に示すように、束柱３の幅と略等しい幅を有する。大引４の上面４１は、タイル１１の下面と接する。大引４は、一対の突出部４２、４２と、一対の係止部４３、４３と、を有する。
【００２０】
一対の突出部４２、４２は、大引４の上下方向の途中において、大引４の両方の側面から側方に突出する。床部１０の外縁側に配置される大引４において、大引４の外側の突出部４２の上面には、幕板受け材８（後述）が載置される。大引４の内側の突出部４２の上面には、複数の根太５が架設されている。
【００２１】
一対の係止部４３、４３は、大引４の下面から下方側に突出する。一対の係止部４３、４３は、束柱３の上端部の側面に固定されている。
【００２２】
複数の根太５は、複数の大引４に架設される。根太５の上面５１は、図３に示すように、タイル１１の下面と接する。根太５は、例えば、中空を有する略角柱形状の長尺部材である。複数の根太５は、長手方向が建物１００の壁面が延びる水平方向に対して直交する方向に平行に所定間隔で配置され、複数の大引４に架設される。
【００２３】
根太５の下部には、図３に示すように、大引４に固定される固定部５２と、幕板受け材８（後述）を係止する係止部５３と、が形成される。
係止部５３は、床部１０の外縁側に配置される根太５の外側において、根太５の下部から床部１０の外側の側方に突出する。係止部５３には、後述する幕板受け材８が載置される。
固定部５２は、根太５の下部から床部１０の内部側の側方に突出する。固定部５２には、大引４が固定される。
【００２４】
次に、本発明の特徴部分について説明する。幕板部９は、床部１０の外縁の側部を覆うように配置される。本実施形態においては、幕板部９は、段差１５における１段目段部１６及び２段目段部１７の両方において、床部１０の外縁の側部を覆うように、１段目段部１６及び２段目段部１７の側部に接続して配置される。
【００２５】
幕板部９は、図２に示すように、幕板受け材８（取付部）を介して、床部１０における間口側（図１における右手前側）の外縁の側部において、大引４に取り付けられる。また幕板部９は、図３に示すように、床部１０における出幅側（図１における左手前側）の外縁の側部において、根太５の側面に取り付けられる。
【００２６】
なお、本実施形態の床構造体１は、床部１０における間口側（図１における右手前側）及び出幅側（図１における左手前側）のいずれの外縁の側部に設けられる場合においても、同様の構成であり、段差１５における１段目段部１６及び２段目段部１７の外縁の側部に設けられるいずれの場合においても、同様の構成である。
【００２７】
幕板受け材８は、床部１０の縁部の側部に固定される。幕板受け材８には、幕板部９が取り付けられる。幕板受け材８は、床部１０と幕板部９との間に配置される。
【００２８】
本実施形態においては、図２に示すように、床部１０における間口側に配置される幕板受け材８は、床部１０の縁部側に配置される大引４の突出部４２の上面に載置された状態で、床部１０の縁部側に配置される大引４の側面にネジ止めにより固定されている。また、図３に示すように、床部１０における出幅側に配置される幕板受け材８は、床部１０の縁部側に配置される根太５の係止部５３の上面に載置された状態で、床部１０の縁部側に配置される根太５の側面にネジ止めにより固定されている。
【００２９】
幕板受け材８は、図２及び図３に示すように、上下方向延在固定壁８１と、タイル載置部８２と、上方突出部としての上方突出壁８３と、側方突出壁８４と、下方突出部としての下方突出壁８５と、背面側方延出壁８６と、を有する。
【００３０】
上下方向延在固定壁８１は、鉛直方向に延びる壁である。上下方向延在固定壁８１は、大引４又は根太５の外側の側面に当接しており、大引４又は根太５の外側の側面に固定されている。
【００３１】
タイル載置部８２は、上下方向延在固定壁８１の上端から、床部１０の外側に配置される幕板部９側に水平方向に突出している。タイル載置部８２の上面には、タイル１１の外側の端部が載置される。
【００３２】
上方突出壁８３は、幕板受け材８における上方側に形成され、タイル載置部８２の外側の端部側において、タイル載置部８２の上面から上方側に突出する。
側方突出壁８４は、上下方向延在固定壁８１の下端から幕板部９側に水平方向に突出して形成されている。
【００３３】
下方突出壁８５は、鉛直方向に延びる壁であり、側方突出壁８４の幕板部９側の端部から下方側に突出する。下方突出壁８５の外側の側面には、幕板部９の中間突出片９５が突き当てられる。下方突出壁８５の下端部８５ａには、幕板部９（後述）の下部突出係合片９６（下部係合部）が係合される。
【００３４】
背面側方延出壁８６は、下方突出壁８５の上下方向の途中の裏面から、床部１０側に水平方向に突出して形成される。背面側方延出壁８６の先端は、大引４における床部１０の外側の突出部４２（図２参照）の上面に載置されており、又は、根太５における床部１０の外側の係止部５３（図３参照）の上面に載置されている。
【００３５】
幕板部９は、図４に示すように、幕板受け材８に嵌合して取り付けられる。なお、本実施形態においては、幕板部９が幕板受け材８に取り付けられる構成について、図２における床部１０の間口側に配置される幕板部９について説明するが、図３における床部１０の出幅側に配置される幕板部９についても同様の構成である。
【００３６】
幕板部９は、図４に示すように、上下方向に延びると共に水平方向に長尺な板材により形成される。幕板部９は、幕板部９が幕板受け材８に取り付けられた状態において、側板としての側壁９１と、上面板としてのタイル収容上面壁９２と、突出係止部としての突出係止壁９３と、照明収容溝９４と、中間突出片９５と、下部係合部としての下部突出係合片９６と、を備える。
【００３７】
側壁９１は、床部１０の外縁の側部において、上下方向に延びて形成されており、平板状に形成されている。
【００３８】
タイル収容上面壁９２は、側壁９１の上方側に形成され、側壁９１の上端部から、床部１０側の側方に水平方向に延びるように形成されている。タイル収容上面壁９２の下方には、タイル収容上面壁９２の先端側において、タイル載置部８２の上面に載置されたタイル１１の外側の端部が収容され、タイル収容上面壁９２の基端側において、タイル収容上面壁９２の下面には、幕板受け材８の上方突出壁８３の上端部が当接する。
【００３９】
突出係止壁９３は、タイル収容上面壁９２の下面におけるタイル１１の外側の端部と上方突出壁８３との間の位置において、タイル収容上面壁９２の下面から下方側に突出する。突出係止壁９３は、幕板受け材８の上方突出壁８３に係止される。突出係止壁９３は、幕板受け材８の上方突出壁８３に係止されることで、幕板部９が床部１０の外側に位置するように、幕板部９における床部１０に対する水平方向の位置を位置決めする。
【００４０】
照明収容溝９４は、側壁９１の下部に設けられた溝であり、床部１０側に向けて開口して形成され、水平方向に延びる。照明収容溝９４には、ＬＥＤ等の小型照明が適宜配置される。
【００４１】
中間突出片９５は、側壁９１の上下方向の途中において、側壁９１の裏面から、床部１０側の側方に突出する。中間突出片９５の先端部９５ａは、幕板受け材８の下方突出壁８５の外側の側面に当接する。
【００４２】
下部突出係合片９６は、側壁９１におけるタイル収容上面壁９２よりも下方において、側壁９１の上下方向の途中における中間突出片９５よりも下方の位置の裏面から、床部１０側の側方に延びる。
【００４３】
下部突出係合片９６は、幕板受け材８側が上る上り傾斜で延びており、係合段部９６ａを有する。係合段部９６ａは、下部突出係合片９６が延びる途中に段状に形成され、幕板受け材８の下方突出壁８５の下端部８５ａに係合する。下部突出係合片９６は、係合段部９６ａが幕板受け材８の下方突出壁８５の下端部８５ａに係合した状態において、上方側に配置される幕板受け材８に弾性力を付与する。本実施形態では、下部突出係合片９６を幕板受け材８側の先端側が上る上り傾斜で延びるように構成して、係合段部９６ａで係合させた。これにより、メンテナンスなどで幕板部９を幕板受け材８から外す際に、下部突出係合片９６における基端側よりも上方に位置する先端側を下方に移動させ易いため、幕板部９を幕板受け材８から比較的外し易い。
【００４４】
幕板部９は、タイル収容上面壁９２が幕板受け材８の上方突出壁８３の上端部に当接すると共に突出係止壁９３が幕板受け材８の上方突出壁８３に係止された状態で、下部突出係合片９６の係合段部９６ａが幕板受け材８の下方突出壁８５の下端部８５ａに係合することで、幕板受け材８に嵌合して取り付けられる。これにより、幕板部９は、幕板部９の下部突出係合片９６の弾性力が幕板受け材８側に付与された状態で、幕板受け材８を上下から挟み込んで、幕板受け材８に嵌合して取り付けられる。
【００４５】
床構造体１の側面に幕板部９を取り付ける場合には、幕板受け材８を、大引４及び根太５等に取り付けた後に、幕板部９を幕板受け材８に取り付ける。図５は、幕板部９を幕板受け材８に取り付ける手順を説明する図である。
【００４６】
幕板部９を幕板受け材８に取り付ける場合には、まず、図５（ａ）に示すように、幕板部９の上部側を幕板受け材８側に傾けた状態で、幕板部９のタイル収容上面壁９２の先端部を、タイル１１の端部の上面に当接させる。そして、幕板部９のタイル収容上面壁９２の先端部を中心に回転させながら、幕板部９の突出係止壁９３を、幕板受け材８の上方突出壁８３とタイル１１の端部との間に挿入するように上方側から移動させる。このようにして、幕板部９の突出係止壁９３を幕板受け材８の上方突出壁８３の内側から上方突出壁８３に引っ掛けることで、幕板部９の上端部を、幕板受け材８に取り付ける。これにより、幕板部９が幕板受け材８に取り付けられた状態において、幕板部９の突出係止壁９３は、幕板受け材８の上方突出壁８３に係止される。
【００４７】
次に、図５（ｂ）及び（ｃ）に示すように、幕板部９の突出係止壁９３が幕板受け材８の上方突出壁８３に係止された状態で、幕板部９の下方側の部分を幕板受け材８の側方から幕板受け材８側に移動させて、幕板部９の中間突出片９５の先端部９５ａを下方突出壁８５に突き当てると共に、幕板部９の下部突出係合片９６の係合段部９６ａを幕板受け材８の下方突出壁８５の下端部８５ａに係合させる。これにより、幕板部９は、幕板部９の突出係止壁９３が幕板受け材８の上方突出壁８３に係止された状態で、幕板部９の下部突出係合片９６の弾性力が幕板受け材８側に付与された状態で、タイル収容上面壁９２と下部突出係合片９６との間において幕板受け材８を上下から挟み込んで、幕板部９の下部突出係合片９６の係合段部９６ａが幕板受け材８の下方突出壁８５の下端部８５ａに係合して、幕板受け材８に嵌合により取り付けられる。
【００４８】
以上説明した本実施形態の床構造体１によれば、以下のような効果を奏する。
本実施形態の床構造体１は、床部１０と、床部１０の側部に設けられた幕板受け材８に嵌合により取り付けられる幕板部９と、を備える。そのため、ネジを使用せずに、幕板部９を嵌合により幕板受け材８に取り付けることができる。これにより、施工性を向上できる。また、ネジやネジを隠すための部材を必要としないため、部品点数を削減できる。また、ネジを使用せずに幕板受け材８に取り付けることができるため、ネジを隠すための部材を必要としない。これにより、幕板部９の表面にネジを隠すための部材の境界線のラインが形成されないため、意匠性を向上させることができる。
【００４９】
また、本実施形態においては、幕板受け材８は、上方側に形成され上方側に突出する上方突出壁８３を有し、幕板部９は、幕板部９が幕板受け材８に取り付けられた状態において、上下方向に延びる側壁９１と、側壁９１の上方側に形成され床部１０側の側方に延びるタイル収容上面壁９２と、タイル収容上面壁９２から下方側に突出する突出係止壁９３と、を有し、幕板部９の突出係止壁９３は、幕板受け材８の上方突出壁８３に係止される。これにより、例えば、足で蹴り上げられることで幕板部９の下方側が幕板受け材８から外れた場合であっても、幕板部９の突出係止壁９３が、幕板受け材８の上方突出壁８３に係止されているため、幕板部９が落下することを防止できる。
【００５０】
また、本実施形態においては、幕板受け材８は、上方突出壁８３よりも下方側に形成され下方側に突出する下方突出壁８５を有し、幕板部９は、側壁９１におけるタイル収容上面壁９２よりも下方の位置から床部１０側の側方に延びると共に下方突出壁８５に係合する下部突出係合片９６を更に有し、幕板部９は、幕板部９の突出係止壁９３が幕板受け材８の上方突出壁８３に係止された状態で、幕板部９の下部突出係合片９６が幕板受け材８の下方突出壁８５に係合することで、幕板受け材８に嵌合により取り付けられる。これにより、幕板部９を幕板受け材８の側方から移動させることで、幕板部９を幕板受け材８に嵌合させて取り付けることができる。よって、幕板部９を幕板受け材８に容易に取り付けることができる。
【００５１】
以上、本発明の床構造体１の好ましい一実施形態について説明したが、本発明は、上述した実施形態に制限されるものではなく、適宜変更が可能である。
【００５２】
例えば、前記実施形態では、幕板部９の側壁９１の形状を平面状に構成したが、これに限定されず、幕板部９の外面に水平方向に延びる溝を設けて、溝にモザイクタイルを貼り付けてもよい。
【００５３】
また、前記実施形態では、幕板部９を床部１０に取り付けるための取付部を幕板受け材８で構成したが、これに限定されない。幕板部９を床部１０に取り付けるための取付部を、例えば、大引４や根太５と一体で構成してもよい。
【符号の説明】
【００５４】
１  床構造体
８  幕板受け材（取付部）
９  幕板部
１０  床部
８３  上方突出壁（上方突出部）
８５  下方突出壁（下方突出部）
９１  側壁（側板）
９２  タイル収容上面壁（上面板）
９３  突出係止壁（突出係止部）
９６  下部突出係合片（下部係合部）
【図１】
2019148077.tif 000003
【図２】
2019148077.tif 000004
【図３】
2019148077.tif 000005
【図４】
2019148077.tif 000006
【図５】
2019148077.tif 000007